(57)【要約】【課題】  小型化、高精度化、低価格化を実現したブラシレスモータを提供する。【解決手段】  ハウジング１０の円筒部１２の内周側に軸受３０，３１を嵌合させ、その軸受３０，３１にシャフト４０を回転自在に挿通させ、そのハウジング１０を覆うとともにハウジング１０の円筒部１２の先端側に配置したヨーク５０をシャフト４０に固定させる。この構成によって軸受３０，３１はヨークの内側に含まれるような位置に配置されるのでヨーク５０とハウジング１０が重なった分、小型化が実現できる。そしてハウジング１０の一部材に軸受３０、３１を嵌合しているので高精度化が実現できる。【選択図】図１
2006109575.tif 000002
【特許請求の範囲】
【請求項１】
略有底円筒状のカバーと、該カバーの底面中央部にて支持され前記カバーの開口端側に突出した略円筒状をなすハウジングと、該ハウジングに内嵌される軸受と、
前記ハウジングに挿通され、前記軸受に回転自在に支持された回転軸、略有底円筒状であり、前記ハウジングを覆うと共に該ハウジングの先端側に配置した底面部が前記回転軸に装着されるヨーク、および該ヨークの筒状部に外嵌したメインマグネットを有するロータと、
前記カバーの円筒部の内側に固定され、前記ロータの外周側に径方向に対向するように配置されたステータと、前記カバーの開口端に該カバーの開口を塞ぐように固定した電子回路基板と、
前記電子回路基板に装着され、前記ロータの回転位置を磁気変化によって検知する位置センサとを具備したブラシレスモータであって、
前記ハウジングは前記ヨークの底面に向い立設し、前記軸受は前記ヨークの円筒部内側の回転軸心方向高さにて保持され、前記回転軸を支持することを特徴とするブラシレスモータ。
【請求項２】
前記軸受は前記ハウジングの円筒部長さの半分以上の回転軸方向長さを有する一つのすべり軸受であることを特徴とする請求項１に記載のブラシレスモータ。
【請求項３】
前記軸受は、前記ハウジングに回転軸方向に間隔をあけて内嵌された２つのすべり軸受からなり、前記２つのすべり軸受の回転軸心方向の間にフェルト等からなる保油部材が配置されていることを特徴とする請求項１に記載のブラシレスモータ。
【請求項４】
前記ヨークの底面部の前記電子回路基板側には、ＦＧマグネットが固着されており、該ＦＧマグネットに間隙をもって回転軸心方向に対向する部分には、前記電子回路基板における発電線素が施されていることを特徴とする請求項１乃至請求項３のいずれかに記載のブラシレスモータ。
【請求項５】
前記ヨークに外嵌している前記メインマグネットは、前記ヨークの円筒状端面部に前記ヨークからの逃げ面であるテ−パ面部を有することを特徴とする請求項１乃至請求項４のいずれかに記載のブラシレスモータ。
【請求項６】
前記カバーの円筒状端面部の内側が回転軸心方向に凹むように段部を設け、該段部より突出する外側円筒部は、前記電子回路基板の板厚より高くなるように設け、該外側円筒部に前記段部に当接するように前記電子回路基板を配置し、前記電子回路基板より突出した前記外側円筒部を塑性変形することによって、前記カバーに前記電子回路基板を固定することを特徴とする請求項１乃至請求項５のいずれかに記載のブラシレスモータ。
【請求項７】
前記カバーの円筒部のステータ固定位置より底面部側に少なくとも一つの孔を設け、前記ロータにおける前記ヨークの底面部に少なくとも一つの孔を設け、前記ヨークの内側に該ヨークの回転に伴って前記ヨークの孔より外部空気をヨーク内部に吸気し、前記カバーの孔より外部に排気するためのファンを設けたことを特徴とした請求項１乃至請求項６のいずれかに記載のブラシレスモータ。
【請求項８】
前記ファンは、円筒体と該円筒体の内周面に周方向に配列された複数のインペラとを樹脂にて一体成形して構成され、前記ファンが前記ヨークの円筒部に内嵌されていることを特徴とする請求項７に記載のブラシレスモータ。
【発明の詳細な説明】
【技術分野】
【０００１】
本発明は、すべり軸受を有するインナーロータ型ブラシレスモータに関する。
【背景技術】
【０００２】
電子機器の中には、モータによって動力を得るものが多くある。近年、電子機器の小型化や低価格化や高精度化に伴い、その電子機器内に使用されるモータは、更なる小型化や低価格化や高精度化が求められている。
【０００３】
従来のインナーロータ型ブラシレスモータの構造に関わる回転軸心方向の断面図を図７に示す。
【０００４】
図７に示されるブラシレスモータは、回転軸体Ａ１が挿着されたロータＡと、ロータＡを回転自在に支持する軸受Ｂ１、Ｂ２と、ステータＣと、電子回路基板Ｄと、これらを収容するカバーＥ１とカバーＥ２とを備える。
【０００５】
ロータＡは、円筒状のロータコアＡ２の内側貫通孔に回転軸体Ａ１が挿着され、ロータコアＡ２の外周面にマグネットＦが外嵌された構造となっている。
【０００６】
そのマグネットＦと回転半径方向に僅かな間隙を設けて対向するステータＣが設置されている。ステータＣは、複数枚のステータコアＣ１が積層され、そのステータコアＣ１に巻線Ｃ２が巻回されて形成される。
【０００７】
電子回路基板ＤはステータＣの回転軸心方向下側に配置されている。電子回路基板Ｄには、制御ＩＣＤ１と磁気を検知する位置センサＤ２とが設けてある。位置センサＤ２はマグネットＦの回転半径方向に間隙を設けて配設しており、マグネットＦの磁気を検知して、制御ＩＣＤ１に位置検出信号を送る。その位置検出信号を元に制御ＩＣＤ１は、巻線Ｃ２への通電を制御しモータ回転を制御している。
【０００８】
またロータコアＡ２の回転軸心方向上側および下側には、ロータＡを回転自在に支持する軸受Ｂ１、Ｂ２がそれぞれ回転軸体Ａ１に挿着される。
【０００９】
これらを収容するように、カバーＥ１、Ｅ２が配設される。カバーＥ１は、略有底筒状を有し、筒状端面部にて略有底筒状のカバーＥ２と固着する。そのカバーＥ１、Ｅ２の両方ともに中央部に凹部を有し、その凹部に軸受Ｂ１、Ｂ２がそれぞれ内嵌されるように収容される。またステータＣもカバーＥ１の内側に例えば接着剤により固定され、収容される（このような従来例は、例えば特許文献１を参照）。
【００１０】
【特許文献１】特開２００３−３１９６３１
【発明の開示】
【発明が解決しようとする課題】
【００１１】
図７のようなインナーロータ型ブラシレスモータの構造においては、ロータコアＡ２が中空構造でないため、ロータコアＡ２の回転軸心方向上側および下側に軸受Ｂ１、Ｂ２をそれぞれ配置しなければならない。そのため、それらを収容するカバーＥ１、Ｅ２をその分大きく作製しなければならず、モータの小型化が困難であった。
【００１２】
またモータを覆うために２つのカバーＥ１、Ｅ２を作製しなければならず、部品点数が増加してしまう。したがってモータ作製にかかるコストが上がり、モータの低価格化を妨害している。そして軸受Ｂ１、Ｂ２をカバーＥ１、Ｅ２というような異なった部品にてそれぞれ保持することは、もともと存在する部品単品の寸法誤差に異なった部品同士であるカバーＥ１とＥ２との組立て誤差を加えてしまうこととなり、回転軸体Ａ１の同軸精度を悪化させる。すなわち、軸受Ｂ１、Ｂ２の中心が本来の回転軸からそれぞれずれて配置されてしまうことによって回転軸体Ａ１が傾いて支持されてしまう。その結果、回転軸体Ａ１は、回転軸に対してずれてしまっているので、回転軸に対して振れ回った回転をしてしまう。そのため、回転軸体Ａ１より相手部品に力を伝達する際に悪影響を及ぼしてしまう可能性がある。
【００１３】
例えば回転軸体Ａ１の先端にギアが嵌合されて、相手ギアと噛み合うことで力を伝達する場合、回転軸体Ａ１の同軸精度が悪いと相手ギアとの噛み合いが悪く、モータ側のギアと相手側のギアの共に偏荷重がかかってしまい、モータ側のギアと相手側のギアの少なくとも一方を傷付けてしまうことにより、ギアに歯欠けや凹み等を生じさせてしまうことが考えられる。その歯欠けや凹み等により、更に噛み合いが悪くなり、振動や騒音を発生させてしまう可能性がある。そして、最悪の場合、ギアが破壊されてしまい、モータを搭載した電子機器に致命的な不具合を発生させてしまう可能性もある。
【００１４】
本発明は、上記のような問題に鑑みて行われたものであり、その目的とするところは、ブラシレスモータの小型化を実現し、ハウジングに軸受を嵌合することにより、回転軸体の精度を向上させ、またモータ内部の熱を放出することのできるブラシレスモータを提供することである。
【課題を解決するための手段】
【００１５】
請求項１に記載のブラシレスモータは、略有底円筒状のカバーと、カバーの底面中央部にて支持されカバーの開口端側に突出した略円筒状をなすハウジングと、ハウジングに内嵌される軸受と、ハウジングに挿通され、軸受に回転自在に支持された回転軸、略有底円筒状であり、ハウジングを覆うと共にハウジングの先端側に配置した底面部が回転軸に装着されるヨーク、およびヨークの筒状部に外嵌したメインマグネットを有するロータと、カバーの円筒部の内側に固定され、ロータの外周側に径方向に対向するように配置されたステータと、カバーの開口端にカバーの開口を塞ぐように固定した電子回路基板と、電子回路基板に装着され、ロータの回転位置を磁気変化によって検知する位置センサとを具備したブラシレスモータであって、ハウジングはヨークの底面に向い立設し、軸受はヨークの円筒部内側の回転軸心方向高さにて保持して回転軸を支持することを特徴とする。
【００１６】
請求項２に記載のブラシレスモータは、軸受がハウジングの円筒部長さの半分以上の回転軸方向長さを有する一つのすべり軸受であることを特徴とする。
【００１７】
請求項３に記載のブラシレスモータは、軸受がハウジングに回転軸心方向に間隔をあけて内嵌された２つのすべり軸受からなり、その２つのすべり軸受の回転軸心方向の間にフェルト等の補油部材を配置したことを特徴とする。
【００１８】
請求項４に記載のブラシレスモータは、ヨークの底面部の電子回路基板側には、ＦＧマグネットが固着しており、ＦＧマグネットに間隙をもって回転軸心方向に対向する部分には、電子回路基板における発電線素が施されていることを特徴とする。
【００１９】
請求項５に記載のブラシレスモータは、ヨークに外嵌しているメインマグネットは、ヨークの円筒状端面部にヨークからの逃げ面であるテ−パ面部を有することを特徴とする。
【００２０】
請求項６に記載のブラシレスモータは、カバーの円筒状端面部の内側に回転軸心方向に凹むように段部を設け、段部より突出する外側円筒部は、電子回路基板の板厚より高くなるように設け、外側円筒部に段部に当接するように電子回路基板を配置し、電子回路基板より突出した外側円筒部を塑性変形することによって、カバーに電子回路基板を固定することを特徴とする。
【００２１】
請求項７に記載のブラシレスモータは、カバーの円筒部のステータ固定位置より底面部側に少なくとも一つの孔を設け、ロータにおけるヨークの底面部に少なくとも一つの孔を設け、ヨークの内側にヨークの回転に伴ってヨークの孔より外部空気をヨーク内部に吸気し、カバーの孔より外部に排気するためのファンを設けることを特徴とする。
【００２２】
請求項８に記載のブラシレスモータは、ファンは、円筒体と円筒体の内周面に周方向に配列された複数のインペラとを樹脂にて一体成形して構成され、ファンがヨークの円筒部に内嵌されていることを特徴とする。
【発明の効果】
【００２３】
請求項１に記載の発明によれば、ヨークの内側にハウジングが立設され、且つ軸受がヨーク内側の回転軸方向の高さにて配置されているので、回転軸方向の高さを低くすることができる。また、軸受を単一のハウジングのみに配置していることにより、異なる部品にそれぞれ軸受を配置した場合と比較して、異なる部品の組み立て誤差がなくなるので軸受の同軸度の精度がよくなる。それにより、軸受に挿着される回転軸体の精度が向上する。
【００２４】
請求項２に記載の発明によれば、ハウジングに内嵌される軸受を一つにすることにより、軸受軸方向寸法を大きく形成することができる。軸受軸方向寸法を大きく形成した分だけ、潤滑油をより含浸できるので、潤滑油の枯渇までの期間が延長され、モータの長寿命化を図ることができる。
【００２５】
請求項３に記載の発明によれば、２つの軸受をハウジングに内嵌されることにより、つまり一体の部品にて配置されることにより、両軸受間の距離を縮めることができる。それにより、両軸受間にフェルト等の補油部材を配置することができる。フェルト等の保油部材を配置することから、すべり軸受に含浸される潤滑油の補給を行うことができるので、モータの長寿命化を図ることができる。
【００２６】
請求項４に記載の発明によれば、ＦＧマグネットと発電線素により、より細かくモータ回転位置を検出できるので回転位置を精度良く把握することができる。よってモータ回転精度を向上させることができる。
【００２７】
ヨークを成形する際、ヨークの円筒部の端面部には、回転半径方向外方側に凸部を生じたり、バリを生じたりすることがある。そのため、マグネットをヨークの円筒部外周側に嵌合しようとしても、この凸部やバリによってマグネットのその部分のみ突出してしまい、精度よく嵌合ができない。それによって、ステータとマグネットの所定の間隙を設けることが出来なくなる。そこで請求項５に記載の発明によれば、ヨークの円筒部の端面部に当接する部分のマグネットに逃げ面であるテ−パ面を設けることにより、ヨークの円筒部における凸部やバリの影響をなくすことができる。
【００２８】
電子回路基板を固定する際は、一般にネジ等にて相手部品との固定を図る。しかしながらこの固定方法では、固定するためにネジ等を必要とするために部品点数が増えてしまい、コストが高くなってしまう。またネジ等を使用した場合、一箇所の固定では、信頼性を保つことが出来ず、少なくとも２箇所を固定しなければならないので、その分、作業工程が増えてしまい、コストが高くなってしまう。しかしながら請求項６に記載の発明によれば、カバーと電子回路基板とはカバーの塑性変形にて電子回路基板を固定することにより、ネジ等を使用しないので、固定する部品を削減することができ、コストを抑えることができる。且つ複数箇所を固定するので信頼性の高い固定を実現することができる。またこの塑性変形は、例えばプレスにて一度で行われるので、作業工程の削減にもつながり、コストを抑えることができる。
【００２９】
請求項７に記載の発明によれば、ヨークに少なくとも一つ孔を設け、カバーに少なくとも一つ孔を設けることにより、外気がモータ内部を通り、また外気に出ていく通路が設けられる。またヨークの内側にファンを設けることで、ヨークの孔から、外気を吸気し、カバーの孔より排出される流れを作ることができる。その結果、モータ内部において、ステータの発熱によって熱せられたモータ内部空気をモータ外部に排出することができ、またモータ外部からの冷めた空気をモータ内部に採り入れることができるので、モータ内部の冷却を効率よく行うことができる。
【００３０】
ヨークの内側にファンを作る場合にも、いくつかの方法が考えられる。例えば、ヨーク自体を変形させてファンを作る方法、つまりヨークの内側を突出させてファンとする方法である。また、ファンを一枚一枚ヨークの内側に嵌合する方法も考えられる。ヨーク自体を変形させてファンを作る方法では、ヨークの外周側も変形してしまいマグネットを精度よく嵌合することが出来ない問題が発生する。またファンを一枚一枚ヨークの内側に嵌合する方法では、作業性が悪く、インペラの角度を全て所定角度にすることは困難である。しかしながら請求項８に記載の発明によれば、ファンのインペラを樹脂にてまず一体成形し、その一体成形したファンをヨークの内側に嵌合することから、ファンを一度嵌合するだけでよいので作業性が良く、そして初めに一体成形するのでインペラの角度精度も高いファンを提供できる。またヨーク自体を変形しないので、ヨークの外周側の変形もなく、マグネットも精度よく嵌合することができる。
【発明を実施するための最良の形態】
【００３１】
以下、本発明の実施例に関して図面を参考にしつつ説明する。図１は、本発明の一実施形態であるブラシレスモータの要部を示す回転軸心方向断面図である。図２は、軸受を一つにした場合の、ハウジングの回転軸心方向断面図である。図３は、ヨークとマグネットとの嵌合の関係を示す図である。図４は、ＦＧマグネットと電子回路基板との関係を示した図である。図５は、カバーと電子回路基板との固定を示す図である。図６は、ヨークの内側にファンを嵌合した場合のブラシレスモータの回転軸心方向断面図である。
【００３２】
まず図１を参照してモータ構造全体を説明する。
【００３３】
カバー２０は、有底面筒状であり、底面部２１と円筒部２４を備えている。そのカバー２０の底面部２１の中央には孔が設けられている。
【００３４】
ハウジング１０は、中空円筒状であり、回転軸方向下側において、回転軸心方向に垂直且つ、回転半径方向外方側に広がる鉤部１１と円筒部１２が設けられている。ハウジング１０の円筒部１１の内周面部には、２つの軸受３０、３１が内嵌めされており、その２つ軸受３０、３１との間には、保油部材である円筒状のフェルト３２が軸受同時を連結するように配置されている。
【００３５】
カバー２０とハウジング１０とは、カバー２０の底面部２１の中央部の孔にハウジング１０を挿通させ、カバー２０の底面部２１とハウジング１０の鉤部１１を当接し、その当接部分を例えば溶接にて接合する。
【００３６】
このカバー２０とハウジング１０にて形成された外枠の中には、シャフト４０、ヨーク５０、マグネット６０、ＦＧマグネット６１から形成されるロータとステータ７０とが収納される。
【００３７】
ロータの構成は、回転軸体であるシャフト４０に、有底筒状で中空構造であるヨーク５０が結合され、そのヨーク５０の円筒部５１の外周側には、マグネット６０が例えば接着にて固着され、またヨーク５０の底面部５２には、ＦＧマグネット６１が例えば接着にて固着されていることにより形成される。
【００３８】
このロータは、シャフト４０が２つの軸受３０、３１に挿通され、ヨーク５０がハウジング１０の円筒部１１を覆うように配置される。この２つの軸受３０，３１は、含油性の多孔金属燒結体からなるすべり軸受であり、この内周面が軸受面となり、シャフト４０がこの軸受面に摺動することにより、軸受面の表面より油（潤滑油）が染み出る。この油（潤滑油）がシャフト４０と内周面である軸受面との媒介物となり、シャフト４０と軸受面との直接接触をなくし回転自在に支持する。
【００３９】
ロータを構成するマグネット６０と間隙を介して回転半径方向に対向してステータ７０がカバー２０の円筒部２４に例えば接着にて固定されている。このステータ７０は、複数枚にて積層されたステータコア７１とこのステータコア７１に巻回された巻線７２とから形成される。
【００４０】
そしてステータ７０の回転軸心方向上側には、このロータとステータ７０に蓋をするように電子回路基板８０がカバー２０の円筒部２４の回転軸心方向上側先端部に配置されている。電子回路基板８０の回転軸心方向下側には、ホール素子８１がマグネット６０と間隙を介して回転軸心方向に対向して配置されている。そして電子回路基板８０の回転軸心方向上側には、制御ＩＣ８２が配置されている。
【００４１】
次に発明の主要部について図１〜図６を参照して説明する。
【００４２】
まずヨーク５０とハウジング１０の円筒部１２に内嵌された軸受３０，３１との関係について図１を参照して説明する。
【００４３】
図１を参照してみると、ハウジング１０がヨーク５０の内側に立設していることが分かる。従来技術の図である図７と比較すると、図７では、ヨーク５０の箇所にロータコアＡ２が配置されている。ここでロータコアＡ２は、中空構造ではないので、ロータコアＡ２の内側に何も配置できない。そのため、ロータコアＡ２の回転軸心方向上側および下側に軸受Ｂ１、Ｂ２が配置されている。このモータ構造であると、軸受Ｂ１、Ｂ２を配置する空間分だけモータを大型にしなければならない問題がある。この図７と比較して、図１ではヨーク５０が中空構造であるため、軸受３０，３１がヨーク５０の内側に配置されており、ヨーク５０の回転軸心方向上側および下側に軸受を配置する空間を設けなくてもよいのでモータの小型化を図ることができる。
【００４４】
次にハウジング１０の円筒部１２の内周面に嵌合される軸受が２つの場合について図１を参照して説明する。
【００４５】
図１を参照してみると、前述のように、２つの軸受３０，３１との間にはフェルト３２が両軸受間を連結するように配置されている。このフェルト３２は、両軸受の油（潤滑油）の消費量に応じて、随時軸受に油（潤滑油）を補給していく。軸受の寿命は、一般に限界含油率まで軸受の含油率が低下したときとされる。この含油率は、油（潤滑油）の保有量が多いこと、もしくは油（潤滑油）の消費量が少ないことで限界含油率までの低下を延ばすことができる。このフェルト３２を使用することにより、軸受３０，３１が油（潤滑油）を消費しても、フェルト３２が消費した分また補給するので、フェルト３２に油（潤滑油）がある限り、軸受３０、３１での油（潤滑油）の消費量がなくなるので、含油率を低下させない効果があり、フェルト３２の保有量分だけ軸受寿命の長期化を図ることができる。
【００４６】
次にハウジング１０の円筒部１２の内周面に嵌合される軸受が一つの場合について図２を参照して説明する。
【００４７】
図２を参照してみると、ハウジング１０の円筒部１２の内周面には、一つの軸受３２が嵌合されている。この軸受３２には、シャフト４０と摺動する部分を回転軸心方向上側および下側にそれぞれ３３、３４が形成されている。この摺動部３３、３４にシャフト４０を挿入することによって回転自在に支持している。そしてシャフト４０と摺動しない部分３５は、シャフト４０との接触を防ぐために少し凹部となっている。この軸受３２は軸受間を連結して一つにしたことにより、摺動部３３、３４に加え、摺動しない部分３５も有しているので、その分軸受体積が大きくなっている。すべり軸受は、軸受体積分だけ含油することができるから、その軸受体積増加分だけ余分に含油することができ、軸受の油（潤滑油）の保有量が多くなる。その結果、油（潤滑油）の枯渇を延長することができるので、軸受の長寿命化を図ることができる。
【００４８】
次にヨーク５０とマグネット６０との嵌合の関係について図３を参照して説明する。
【００４９】
図３を参照してみると、ヨーク５０の円筒部５１の外周面には、マグネット６０が嵌合されている。そのマグネット６０の回転軸心方向下側には、テ−パ面６２が形成されている。ヨーク５０の円筒部５１の回転軸心方向下側先端部５３は、ヨーク５０を成形した際、図３中の５４のように外周側に凸部やバリ等が発生する場合がある。このテ−パ面６２はヨーク５０の先端部５３の逃げ面となっている。これにより、ヨーク５０の先端部５３に凸部やバリ等が発生しても、マグネット６０は凸部やバリ等とは関係なく、正確にヨーク５０に外嵌することができる。その結果、マグネット６０は、ステータ７０と所定の間隙をもって配置されることができる。
【００５０】
次にヨーク５０とＦＧマグネット６１と電子回路基板８０との関係について図４を参照して説明する。
【００５１】
ヨーク５０の底面部５２の回転軸心方向上側には、環状円板のＦＧマグネット６１が固着されている。そのＦＧマグネット６１に回転軸心方向に間隙を介して対向するように電子回路基板８０は配置されている。電子回路基板８０には、ＦＧマグネット６１と対向する部分にＦＧパターンが設けられている。ホール素子８１では、マグネット６０の極数分の制御しかできなかったが、ＦＧマグネット６１およびＦＧパターンを配置することにより、発電素子分の制御も可能となり、より細かな位置制御を可能としている。そのため、モータの回転制御の高精度化を図ることができる。またホール素子８１では、高温環境下ではその性能を低下することがある。しかしながらこのＦＧマグネットと発電素子を使用した方法では、高温環境下においても安定した性能を維持することができるので、モータの使用温度範囲を広げることができる。
【００５２】
次にカバー２０と電子回路基板８０との接合の関係について図５を参照して説明する。
【００５３】
カバー２０の回転軸心方向上側先端部には、内側を凹ませている段部２２とその段部２２より回転軸心方向上側に突出している突出部２３が形成されている。電子回路基板８０は、カバー２０の段部２２に当接するように配置される。そしてカバー２０の突出部２３を例えばプレスにて圧接することにより、突出部２３を内側に倒して、電子回路基板８０を固定する。一般に電子回路基板の固定方法は、ネジ等の締結部品を用いて相手部品と電子回路基板との固定を図る方法であるが、この本発明の方法であると電子回路基板８０を固定するためのネジ等が不要となり、コストが低減できる。またネジ等の締結部品を用いる方法では、信頼性を確保するために複数箇所を固定しなければならず、その箇所分のネジ等が必要となり、また作業工程も増えてしまうのでコストが高くなってしまう。しかしながら本発明の方法では、同時に複数箇所を圧接するので作業工程は増えず、信頼性の高い固定を図ることができる。更に電子回路基板８０自体がモータに蓋をする構造となるので、モータをカバーする部品を削減でき、コスト低減を図ることができる。また電子回路基板８０をモータ内部に収納しないこと、すなわち、制御ＩＣ８２をモータの外側に出すことにより、制御ＩＣ８２から発生する熱がモータ内部に篭らず、モータ外部に放熱していく。そして制御ＩＣ８２は常に外部の空気と接触することができるので、常に冷却されることができる。
【００５４】
次にヨーク５０とファン９０との関係について図６を参照して説明する。
【００５５】
図６を参照すると、ヨーク５０の内側にファン９０は嵌合される。またヨーク５０の底面部５２とカバー２０の円筒部２４におけるステータ７０の回転軸心方向下側とに少なくとも一つ孔を設ける。またＦＧマグネット６１はヨーク５０の底面部５２に設けた孔の外側に配置される。そして電子回路基板８０には、中央部にシャフト４０を遊嵌するように孔が設けられている。これらによって、外部の空気は、図６の点線矢印のように電子回路基板８０の中央部の孔を通り、ヨーク５０の底面部５２の孔を通り、カバー２０の円筒部２４の孔を通り、再び外部に排出されていく。ファンには、例えばシロッコ状の羽を取り付け、電子回路基板８０側より吸気し、カバー２０の円筒部２４の孔より排出し、効率よくモータ外部の空気をモータ内部に取り入れ、モータ内部の熱せられた空気をモータ外部に排出することができる。またモータ外部の熱せられていない空気をモータ内部に採り入れ、ファンによりモータ内部に加速を付けて送ることで、ステータ７０によって発熱した空気をモータ外部に押出すことができ、モータを冷却することができる。また本発明のファン９０は一体成形し、それをヨーク５０に内嵌するので、組立ての作業性が良く、また各インペラの角度精度も良い。
【図面の簡単な説明】
【００５６】
【図１】本発明の一実施例を示したモータ回転軸心方向断面図である。
【図２】ハウジング内の軸受を一つにした場合の回転軸心方向断面図である。
【図３】ヨークとマグネットとの嵌合を示す図である。
【図４】ＦＧマグネットと電子回路基板との関係を示す図である。
【図５】電子回路基板とカバーとの嵌合の関係を示す図である。
【図６】ヨーク内にファンを取り付けた場合のモータの回転軸心方向断面図である。
【図７】従来例の一実施例のモータの回転軸心方向断面図である。
【符号の説明】
【００５７】
１０  ハウジング
１１  ハウジング円筒部
２０  カバー
２２  カバー段部
２３  カバー突出部
２４  カバー円筒部
３０  回転軸心方向上側軸受
３１  回転軸心方向下側軸受
３２  一体型軸受
４０  シャフト
５０  ヨーク
５１  ヨーク円筒部
５２  ヨーク底面部
５３  ヨーク先端部
６０  マグネット
６１  ＦＧマグネット
６２  マグネットテ−パ面
７０  ステータ
８０  電子回路基板
８１  ホール素子
８２  制御ＩＣ
９０  ファン
【図１】
2006109575.tif 000003
【図２】
2006109575.tif 000004
【図３】
2006109575.tif 000005
【図４】
2006109575.tif 000006
【図５】
2006109575.tif 000007
【図６】
2006109575.tif 000008
【図７】
2006109575.tif 000009